(57)【特許請求の範囲】
【請求項１】
バックライト光源を有し、バックライト光源からの照明により操作ボタンを表示するタッチパネル部が設けられている眼底カメラにおいて、
前記バックライト光源の発光光量を自動調整する自動調整部が設けられると共に、前記タッチパネル部のパネル面の近傍に１個の光量検出センサが設けられ、該光量検出センサは外光の光量レベルの検出と前記タッチパネル部のパネル面から放出される放出光の光量レベルの検出とに兼用され、前記自動調整部は前記外光の光量レベルと前記放出光の光量レベルの差を演算する演算手段と、該演算手段の演算結果に基づいて前記バックライトの光源の発光光量を調節する光量調節部とを有することを特徴とする眼底カメラ。
【請求項２】
バックライト光源を有し、バックライト光源からの照明により操作ボタンを表示するタッチパネル部が設けられている眼底カメラにおいて、
前記バックライト光源の発光光量を自動調整する自動調整部が設けられると共に、前記タッチパネル部のパネル面の近傍に１個の光量検出センサが設けられ、該光量検出センサは前記タッチパネル部のパネル面から放出される放出光の光量レベルの検出と外光の光量レベルの検出とに用いられ、眼底の観察又は撮影に用いられる撮像素子が外光の光量レベルの検出に用いられ、前記自動調整部は前記外光の光量レベルと前記放出光の光量レベルの差を演算する演算手段と、該演算手段の演算結果に基づいて前記バックライトの光源の発光光量を調節する光量調節部とを有することを特徴とする請求項１に記載の眼底カメラ。
【請求項３】
前記光量調節部は、前記光量検出センサの光量変化をトリガーとして前記演算手段に演算を実行させることを特徴とする請求項１に記載の眼底カメラ。
【請求項４】
前記光量調節部には個人毎の好みに応じた発光光量レベル情報を記憶する記憶メモリが設けられ、前記タッチパネル部には前記記憶メモリに発光光量レベル情報を記憶させる記憶ボタンと、記憶されている発光光量レベル情報を選択させる選択ボタンとが設けられていることを特徴とする請求項１ないし請求項３のいずれか１項に記載の眼底カメラ。
【発明の詳細な説明】
【技術分野】
【０００１】
本発明は、バックライト光源を有するタッチパネル部が設けられている眼底カメラの改良に関する。
【背景技術】
【０００２】
従来から、眼底カメラにはバックライト光源を有するタッチパネル部を設けたものが知られている。
【０００３】
このものでは、バックライト光源によりタッチパネル部のパネル面を照明し、パネル面に表示された操作ボタンを操作することにより、暗室でも操作ボタンを視認して所定の処理が実行されるようになっている。
【０００４】
なお、本発明に係わる類似の技術としてタッチパネル部を有する眼底カメラは知られている（特許文献等１参照）。
【特許文献１】特開２００３−０１９１１７号公報
【発明の開示】
【発明が解決しようとする課題】
【０００５】
しかしながら、この種の眼底カメラでは、タッチパネル部のパネル面の輝度調整を手動調整する構成であったので、眼底カメラが置かれている室内を撮影の都度暗くしたり明るくしたりするたびに、撮影者自らがタッチパネル部のパネル面の輝度調整を行って、操作ボタンや表示文字を見えやすくしなければならず、不便であるという問題がある。
【０００６】
本発明は、上記の事情に鑑みて為されたもので、その目的とするところは、バックライト光源の発光光量を外光の光量変化に応じて自動的に調整できるようにした眼底カメラを提供することにある。
【課題を解決するための手段】
【０００７】
請求項１に記載の眼底カメラは、バックライト光源を有し、バックライト光源からの照明により操作ボタンを表示するタッチパネル部が設けられているものにおいて、
前記バックライト光源の発光光量を自動調整する自動調整部が設けられていると共に、タッチパネル部の近傍に１個の光量検出センサが設けられ、該光量検出センサは外光の光量レベルの検出と前記タッチパネル部のパネル面から放出される放出光の光量レベルの検出とに兼用され、前記自動調整部は前記外光の光量レベルと前記放出光の光量レベルの差を演算する演算手段と、該演算手段の演算結果に基づいて前記バックライトの光源の発光光量を調節する光量調節部とを有することを特徴とする。
【０００９】
請求項２に記載の眼底カメラは、バックライト光源を有し、バックライト光源からの照明により操作ボタンを表示するタッチパネル部が設けられている眼底カメラにおいて、
前記バックライト光源の発光光量を自動調整する自動調整部が設けられると共に、前記タッチパネルの近傍に１個の光量検出センサが設けられ、該光量検出センサは前記タッチパネル部のパネル面から放出される放出光の光量レベルと外光の光量レベルの検出とに用いられ、眼底の観察又は撮影に用いられる撮像素子が外光の光量レベルの検出に用いられ、前記自動調整部は前記外光の光量レベルと前記放出光の光量レベルの差を演算する演算手段と、該演算手段の演算結果に基づいて前記バックライトの光源の発光光量を調節する光量調節部とを有することを特徴とする。
【００１０】
請求項３に記載の眼底カメラは、前記光量調節部は、前記光量検出センサの光量変化をトリガーとして前記演算手段に演算を実行させることを特徴とする。
【００１１】
請求項４に記載の眼底カメラは、前記光量調節部には個人毎の好みに応じた発光光量レベル情報を記憶する記憶メモリが設けられ、前記タッチパネル部には前記記憶メモリに発光光量レベル情報を記憶させる記憶ボタンと、記憶されている発光光量レベル情報を選択させる選択ボタンとが設けられていることを特徴とする。
【発明の効果】
【００１２】
本発明によれば、外光の光量変化に応じてバックライト光源の発光光量が自動調整されるので便利である。
【発明を実施するための最良の形態】
【００１３】
以下に、本発明に係わる眼底カメラの実施例を図面を参照しつつ説明する。
【実施例】
【００１４】
図１は本発明に係わる眼底カメラの外観図を示し、この図１において、１はベース、２は架台である。ベース１には顎受け兼用の額当て３が設けられている。架台２には、眼底カメラ本体部４、ジョイスティック５、タッチパネル部６が設けられている。
【００１５】
眼底カメラ本体部４にはその内部に眼底を観察・撮影する眼底カメラ観察光学系（図示を略す）、眼底照明光学系（図示を略す）、眼底像を表示するモニター部８が設けられている。その眼底観察光学系は眼底像を受像する受像部として撮像素子（ＣＣＤ）９を有する。その眼底観察光学系、眼底照明光学系は公知のもので構わないのでここではその詳細な説明は省略する。
【００１６】
架台２はジョイスティック５の操作によりベース１に対して前後左右方向に移動され、これにより、被検眼に対する眼底カメラ本体部４の位置がセットされる。
【００１７】
タッチパネル部６はパネル面１０を有する。タッチパネル部６は公知の液晶タイプのものが用いられ、図２に示すバックライト照明光源１１を有し、パネル面１０はそのバックライト照明光源１１により適宜輝度（明るさ）で照明される。
【００１８】
そのパネル面１０には、図２に示すように、各観察・撮影モードその他のモードに応じて各種の操作ボタン１２が表示され、操作者はそのこのパネル面１０に表示された各種の操作ボタン１２を適宜操作することにより、その操作ボタン１２が有する処理を実行できるようになっている。
【００１９】
ここでは、そのタッチパネル面１０には、撮影光量基準設定用の操作ボタンが表示されている。ここで、「COL」はカラー設定ボタンを意味し、「GR」はグリーン光撮影設定ボタンを意味し、「FA」は可視蛍光設定ボタンを意味し、「ICG」は赤外蛍光設定ボタンを意味し、「VIS」は可視観察設定ボタンを意味し、「IR」は赤外観察設定ボタンを意味し、「・」はデフォルト値設定ボタンを意味し、「数字」は設定光量値ボタンを意味し、「MEMOLIZE」は設定された撮影光量値を記憶させる記憶設定ボタンを意味し、「RETURN」は図示を略すセットメニュー画面に戻させるためのボタンを意味する。
【００２０】
パネル面１０の周囲には、このパネル面１０を包囲する枠部１３が設けられている。この枠部１３は前面部１３ａと斜面部１３ｂとから概略構成され、正面から見て略長方形状でかつ奥行きを有する外観形状を呈している。
【００２１】
ここでは、斜面部１３ｂに１個の光量検出センサ１４が設けられている。この光量検出センサ１４は室内の光量レベル（外光の光量レベルＸ１）とパネル面１０から放出される放出光Ｘ２の光量レベルの検出とに兼用されている。
【００２２】
タッチパネル部６には、図３に示すようにバックライト光源１１の発光光量を自動調整する自動調整部１５が設けられている。この自動調整部１５は外光の光量レベルＸ１と放出光の光量レベルＸ２との差（Ｘ１−Ｘ２）を演算する演算手段１６と、演算手段１６の演算結果に基づいてバックライト光源１１の発光光量を調節する光量調節部１７とを有する。
【００２３】
演算手段１６はメモリ部１６ａ〜１６ｃを有する。メモリ部１６ａは外光の光量レベルＸ１とタッチパネル面１０から放出される放出光の光量レベルＸ２との総和光量レベル（Ｘ１＋Ｘ２）を記憶する役割を果たし、メモリ部１６ｂは外光の光量レベルＸ１を記憶する役割を果たし、メモリ部１６ｃは前回求められた光量レベルＸ１と光量レベルＸ２との総和光量レベル（Ｘ１＋Ｘ２）とを記憶する役割を果たす。
【００２４】
演算手段１６には光量検出センサ１４からの光量検出信号が逐次入力され、演算手段１６はメモリ部１６ｃに保存されている総和光量レベル（Ｘ１＋Ｘ２）と今回測定されかつメモリ部１６ａに保存されている総和光量レベル（Ｘ１＋Ｘ２）の差を演算し、演算手段１６はその光量変化をトリガーとして放出光の光量レベルＸ２を求める演算を実行する。
【００２５】
なお、室内が明るい方から暗い方に変化したのか、暗い方向から明るい方に変化したのかは、メモリ部１６ｃに保存されている総和光量レベル（Ｘ１＋Ｘ２）と今回測定されかつメモリ部１６ａに保存されている総和光量レベル（Ｘ１＋Ｘ２）との差の正負により判断できる。
【００２６】
ついで、演算手段１６は光量調節部１７に向かって消灯信号を出力し、バックライト光源１１をいったん消灯させる。光量検出センサ１４はバックライト光源１１の消灯時の外光の光量レベルＸ１を検出し、演算手段１６にはこの光量レベルＸ１に相当する光量検出信号が入力される。演算手段１６はこの光量レベルＸ１を一旦メモリ部１６ｂに記憶させる。
【００２７】
ついで、演算手段１６は、室内が明るい方から暗い方に変化した場合には、メモリ部１６ｂに保存されている光量レベルＸ１と光量レベルＸ２との差が所定値Δに近づく方向にバックライト光源１１の発光光量を減少させるべく光量調節部１７を制御する。
【００２８】
一方、演算手段１６は、室内が暗い方から明るい方に変化した場合には、メモリ部１６ｂに保存されている光量レベルＸ１と光量レベルＸ２との差が所定値Δに近づく方向にバックライト光源１１の発光光量を増加させるべく光量調節部１７を制御する。
【００２９】
ここで、所定値Δは、外光の光量レベルＸ１とパネル面１０の表面輝度から定まる経験値であり、人の目がパネル面１０に表示されている文字ＸＸＸその他の記号ＹＹＹ、図形を見るのに適した光量レベル差を意味し、外光の光量レベルＸ１に応じて適宜複数のものを準備すると都合が良い。
【００３０】
なお、光量レベルＸ２の自動調整後、演算手段１６は、メモリ部１６ａに保存されている総和光量レベル（Ｘ１＋Ｘ２）をメモリ部１６ｃに転送し、このメモリ部１６ｃに転送されかつ保存された総和光量レベル（Ｘ１＋Ｘ２）は次回の光量レベルＸ２調整の際に前回求められた総和光量レベル（Ｘ１＋Ｘ２）として用いられる。
【００３１】
ここでは、１個の光量検出センサ１４を用いて外光の光量レベルＸ１とパネル面１０の放出光の光量レベルＸ２との総和光量レベル（Ｘ１＋Ｘ２）を検出する構成とするために、バックライト光源１１を一旦消灯させる構成としているが、図４に示すように、撮像素子９からの撮像信号を演算手段１６に入力させることにより外光の光量レベルＸ１を検出する構成とすれば、バックライト光源１１をいったん消灯させることなく、外光の光量レベルＸ１を直接求めることができる。
【００３２】
すなわち、この場合には、メモリ部１６ｂに前回の外光の光量レベルＸ１を記憶させ、演算手段１６は撮像素子９からの光量レベルＸ１とメモリ部１６ｂに記憶されている光量レベルＸ１との差を演算し、外光の光量レベルＸ１が変化したか否かを判断する。
【００３３】
室内が明るい方から暗い方に変化したのか、暗い方から明るい方に変化したのかは、撮像素子９からの光量レベルＸ１とメモリ部１６ｂに記憶されている光量レベルＸ１との差の正負により判断される。
【００３４】
また、演算手段１６は今回の測定により求められかつメモリ部１６ａに記憶されている光量レベル（Ｘ１＋Ｘ２）と今回測定した光量レベルＸ１との差を演算し、これによりパネル面１０からの放出光の光量レベルＸ２を求める。
【００３５】
ついで、演算手段１６は、室内が明るい方から暗い方に変化した場合には、今回測定した光量レベルＸ１と光量レベルＸ２との差が所定値Δに近づく方向にバックライト光源１１の発光光量を減少させるべく光量調節部１７を制御する。
【００３６】
一方、演算手段１６は、室内が暗い方から明るい方に変化した場合には、今回測定した光量レベルＸ１と光量レベルＸ２との差が所定値Δに近づく方向にバックライト光源１１の発光光量を増加させるべく光量調節部１７を制御する。
【００３７】
ついで、演算手段１６は、その今回求められた外光の光量レベルＸ１をメモリ部１６ｂに記憶させる。このメモリ部１６ｂに記憶された光量レベルＸ１は次回の演算の際に前回測定した光量レベルＸ１として用いられる。
【００３８】
以上、実施例について説明したが、図３に示すように、自動調整部１５に個人毎の好みに応じた発光光量レベル情報を記憶する記憶メモリ１５ａを設け、図２に示すように枠部１３の前面部１３ａに記憶メモリ１５ａにバックライト光源１１の発光光量レベル情報を記憶させる記憶ボタン１７と、記憶されている発光光量レベル情報を選択させる選択ボタン１８とを設け、個人毎にバックライト光源１１の発光量を選択する構成とすることもできる。
【図面の簡単な説明】
【００３９】
【図１】本発明の発明の実施の形態に係わる眼底カメラの外観図である。
【図２】図１に示すタッチパネル部の正面図である。
【図３】図２に示すタッチパネル部のブロック回路図である。
【図４】図２に示すタッチパネル部の他の例を示すブロック回路図である。
【符号の説明】
【００４０】
１１…バックライト光源
１５…自動調整部
【図１】
0004791124.tif 000002
【図２】
0004791124.tif 000003
【図３】
0004791124.tif 000004
【図４】
0004791124.tif 000005